(57)【要約】本発明は、携帯器機用多機能アクセサリーに関し、簡単な構成により多様な用途で活用可能な携帯器機用多機能アクセサリーを提供するための本発明の実施例によると、携帯器機に脱着される結合手段が設けられた本体と、前記本体の他側面の中心部に設けられ、周方向に沿って軸回転し、側面の一部分が貫通された装着孔を有する回転ブラケットと、四角の環状をなしており、前記回転ブラケットの装着孔に回動自在に装着され、前記装着孔と対向する自由端の少なくとも一部分が何れか一方向に折れて突き出された折れ突出部を有する回動環と、前記装着孔に設けられ、前記回動環の周面の少なくとも一部分を弾性支持する弾性部材と、を含むことを技術的な要旨とする。これによる本発明によると、簡単な構成と手軽な操作だけで、据置台、腰ベルト掛け、フィンガーホルダーなどの多様な用途で活用可能な長所がある。
2015514365.tif 000002
【特許請求の範囲】
【請求項１】
携帯器機に脱着される携帯器機用多機能アクセサリーにおいて、
前記携帯器機に脱着される結合手段が設けられた本体と、
前記本体の他側面の中心部に設けられ、周方向に沿って軸回転し、側面の一部分が貫通された装着孔を有する回転ブラケットと、
四角の環状をなしており、前記回転ブラケットの装着孔に回動自在に装着され、前記装着孔と対向する自由端の少なくとも一部分が何れか一方向に折れて突き出された折れ突出部を有する回動環と、
前記装着孔に設けられ、前記回動環の周面の少なくとも一部分を弾性支持する弾性部材と、を含み、
前記回転ブラケットに形成された装着孔の断面は、少なくとも四角以上の多角形状をなしており、前記回動環の断面は、前記装着孔の多角形状と対応するようになり、前記回動環が所定の回動角を有することを特徴とする携帯器機用多機能アクセサリー。
【請求項２】
前記結合手段は、接着性のゴムパッドからなることを特徴とする、請求項１に記載の携帯器機用多機能アクセサリー。
【請求項３】
携帯器機に脱着される携帯器機用多機能アクセサリーにおいて、
前記携帯器機の側後面を包むようになされており、一側には所定の形状の開口部が形成された保護ケースと、
前記保護ケースの開口部の内側に挿入される結合溝部材と、前記結合溝部材に脱着自在に結合される結合突起で構成された結合手段が設けられた本体と、
前記本体の他側面の中心部に設けられ、周方向に沿って軸回転し、側面の一部分が貫通された装着孔を有する回転ブラケットと、
四角の環状をなしており、前記回転ブラケットの装着孔に回動自在に装着され、前記装着孔と対向する自由端の少なくとも一部分が何れか一方向に折れて突き出された折れ突出部を有する回動環と、
前記装着孔に設けられ、前記回動環の周面の少なくとも一部分を弾性支持する弾性部材と、を含むことを特徴とする携帯器機用多機能アクセサリー。
【請求項４】
携帯器機に脱着される携帯器機用多機能アクセサリーにおいて、
前記携帯器機の後面カバーの一側を貫通させて所定の形状の開口部が形成されるようにする貫通部材と、
前記カバーの開口部の内側に挿入される結合溝部材と、前記結合溝部材に脱着自在に結合される結合突起で構成された結合手段が設けられた本体と、
前記本体の他側面の中心部に設けられ、周方向に沿って軸回転し、側面の一部分が貫通された装着孔を有する回転ブラケットと、
四角の環状をなしており、前記回転ブラケットの装着孔に回動自在に装着され、前記装着孔と対向する自由端の少なくとも一部分が何れか一方向に折れて突き出された折れ突出部を有する回動環と、
前記装着孔に設けられ、前記回動環の周面の少なくとも一部分を弾性支持する弾性部材と、を含むことを特徴とする携帯器機用多機能アクセサリー。
【請求項５】
前記回動環の折れ突出部の端部にはゴム材質の摩擦部材が固定されたことを特徴とする、請求項１に記載の携帯器機用多機能アクセサリー。
【請求項６】
携帯器機に脱着される携帯器機用多機能アクセサリーにおいて、
前記携帯器機に脱着される結合手段が設けられた本体と、
前記本体の他側面の中心部に設けられ、周方向に沿って軸回転し、側面の一部分が貫通された装着孔を有する回転ブラケットと、
四角の環状をなしており、前記回転ブラケットの装着孔に回動自在に装着され、前記装着孔と対向する自由端の少なくとも一部分が何れか一方向に折れて突き出された折れ突出部を有する回動環と、
所定の空間の平らな表面に脱着される接着手段が設けられ、前記回動環の折れ突出部を収容支持する収容溝を有する回動ブラケットが回動自在に装着された固定本体と、
前記装着孔に設けられ、前記回動環の周面の少なくとも一部分を弾性支持する弾性部材と、
を含むことを特徴とする携帯器機用多機能アクセサリー。
【請求項７】
前記収容溝は、「Ｌ」状の断面を有することを特徴とする、請求項６に記載の携帯器機用多機能アクセサリー。
【発明の詳細な説明】
【技術分野】
【０００１】
本発明は、携帯器機用多機能アクセサリーに関し、より詳しくは、ホルダーや据置台などに活用可能な携帯器機用多機能アクセサリーに関する。
【背景技術】
【０００２】
最近、スマホやタブレットＰＣなどの多様なマルチメディア携帯器機の普及が爆発的に増加して、多様な用途で使用されている。このような携帯器機の普及と共に、前記携帯器機に補助的に装着されるアクセサリーも多様に発売され、多くの用途で使用されている。代表的な携帯器機用アクセサリーには、交通カードやタッチペンを締結して使用する携帯電話ホルダー、マルチメディア機能を利用するために携帯器機を平地や傾斜面に据え置く据置台、携帯器機の紛失を予防するために指やかばんに締結するフィンガーホルダーなどがある。
【０００３】
しかし、前記アクセサリーの大部は一つの用途のみに限定されており、他の用途で使用するためには他のアクセサリーを追加に購入すべきであり、既存のアクセサリーと共に使用するか、相互に脱着しながら使用しなければならないという不便があった。
【発明の概要】
【発明が解決しようとする課題】
【０００４】
本発明は、上記の問題点を解決するために案出されたものであって、簡単な構成により多様な用途で活用可能な携帯器機用多機能アクセサリーを提供することを目的とする。
【課題を解決するための手段】
【０００５】
上記の目的は、本発明の実施例によって、携帯器機に脱着される携帯器機用多機能アクセサリーにおいて、前記携帯器機に脱着される結合手段が設けられた本体と、前記本体の他側面の中心部に設けられ、周方向に沿って軸回転し、側面の一部分が貫通された装着孔を有する回転ブラケットと、四角の環状をなしており、前記回転ブラケットの装着孔に回動自在に装着され、前記装着孔と対向する自由端の少なくとも一部分が何れか一方向に折れて突き出された折れ突出部を有する回動環と、前記装着孔に設けられ、前記回動環の周面の少なくとも一部分を弾性支持する弾性部材と、を含み、前記回転ブラケットに形成された装着孔の断面は、少なくとも四角以上の多角形状をなしており、前記回動環の断面は、前記装着孔の多角形状と対応するようになり、前記回動環が所定の回動角を有することを特徴とする携帯器機用多機能アクセサリーによって達成される。
【０００６】
ここで、前記結合手段は、接着性のゴムパッドからなることができる。さらに、前記回動環の折れ突出部の端部にはゴム材質の摩擦部材が固定されることができる。
一方、本発明の他の実施例によって、携帯器機に脱着される携帯器機用多機能アクセサリーにおいて、前記携帯器機の側後面を包むようになされており、一側には所定の形状の開口部が形成された保護ケースと、前記保護ケースの開口部の内側に挿入される結合溝部材と、前記結合溝部材に脱着自在に結合される結合突起で構成された結合手段が設けられた本体と、前記本体の他側面の中心部に設けられ、周方向に沿って軸回転し、側面の一部分が貫通された装着孔を有する回転ブラケットと、四角の環状をなしており、前記回転ブラケットの装着孔に回動自在に装着され、前記装着孔と対向する自由端の少なくとも一部分が何れか一方向に折れて突き出された折れ突出部を有する回動環と、前記装着孔に設けられ、前記回動環の周面の少なくとも一部分を弾性支持する弾性部材と、を含むことを特徴とする携帯器機用多機能アクセサリーによって達成される。
【０００７】
さらに、本発明の他の実施例によって、携帯器機に脱着される携帯器機用多機能アクセサリーにおいて、前記携帯器機の後面カバーの一側を貫通させて所定の形状の開口部が形成されるようにする貫通部材と、前記カバーの開口部の内側に挿入される結合溝部材と、前記結合溝部材に脱着自在に結合される結合突起で構成された結合手段が設けられた本体と、前記本体の他側面の中心部に設けられ、周方向に沿って軸回転し、側面の一部分が貫通された装着孔を有する回転ブラケットと、四角の環状をなしており、前記回転ブラケットの装着孔に回動自在に装着され、前記装着孔と対向する自由端の少なくとも一部分が何れか一方向に折れて突き出された折れ突出部を有する回動環と、前記装着孔に設けられ、前記回動環の周面の少なくとも一部分を弾性支持する弾性部材と、を含むことを特徴とする携帯器機用多機能アクセサリーによって達成される。
【０００８】
また、本発明の他の実施例によって、携帯器機に脱着される携帯器機用多機能アクセサリーにおいて、前記携帯器機に脱着される結合手段が設けられた本体と、前記本体の他側面の中心部に設けられ、周方向に沿って軸回転し、側面の一部分が貫通された装着孔を有する回転ブラケットと、四角の環状をなしており、前記回転ブラケットの装着孔に回動自在に装着され、前記装着孔と対向する自由端の少なくとも一部分が何れか一方向に折れて突き出された折れ突出部を有する回動環と、所定の空間の平らな表面に脱着される接着手段が設けられ、前記回動環の折れ突出部を収容支持する収容溝を有する回動ブラケットが回動自在に装着された固定本体と、前記装着孔に設けられ、前記回動環の周面の少なくとも一部分を弾性支持する弾性部材と、を含むことを特徴とする携帯器機用多機能アクセサリーによって達成される。
【０００９】
ここで、前記収容溝は、「Ｌ」状の断面を有することが望ましい。
【発明の効果】
【００１０】
上記のように構成されて作用する本発明の携帯器機用多機能アクセサリーによれば、簡単な構成と手軽な操作だけで、据置台、腰ベルト掛け、フィンガーホルダーなどの多様な用途で活用可能であるという長所がある。
【図面の簡単な説明】
【００１１】
【図１】本発明の実施例に係る携帯器機用多機能アクセサリーの活用例を示す例示図である。
【図２】本発明の実施例に係る携帯器機用多機能アクセサリーの活用例を示す例示図である。
【図３Ａ】本発明の結合手段が実施されることができる例を説明するための側面図である。
【図３Ｂ】本発明の結合手段が実施されることができる例を説明するための側面図である。
【図４Ａ】図１、図２による携帯器機用多機能アクセサリーの作動構造を説明するための側面図及び平面図である。
【図４Ｂ】図１、図２による携帯器機用多機能アクセサリーの作動構造を説明するための側面図及び平面図である。
【図４Ｃ】図１、図２による携帯器機用多機能アクセサリーの作動構造を説明するための側面図及び平面図である。
【図５】本発明の他の実施例に係る携帯器機用多機能アクセサリーの活用例を示す例示図である。
【図６】図５による携帯器機用多機能アクセサリーの作動構造を説明するための側面図である。
【発明を実施するための形態】
【００１２】
以下、添付された図面を参照しながら、本発明の望ましい実施例について詳しく説明する。
本発明の実施例に係る携帯器機用多機能アクセサリーは、添付された図面に示すように、前記携帯器機に脱着される結合手段が設けられた本体２０と、前記本体２０に設けられて軸回転する回転ブラケット４０と、前記回転ブラケット４０に回動自在に装着される回動環６０と、前記回動環６０を弾性支持する弾性部材８０と、を含む。
【００１３】
前記本体２０には、多様な結合手段が選択されることができ、代表的には、接着性のゴムパッド２２が選択されることができる。このようなゴムパッドは、前記本体２０の何れか一面の全体またはその面の一部分に設けられ、広さによる接着力を最大に向上させることができるように、前記本体２０の一面の全体に設けられることが望ましい。
【００１４】
一方、前記携帯器機の側後面を包む保護ケース７０をさらに含むことができる。このような保護ケース７０には、前記結合手段が脱着されることができるように所定の形状の開口部が形成される。ここで、前記結合手段は、前記開口部の内側に挿入される結合溝部材２４と、前記結合溝部材２４に脱着自在に結合される結合突起２６で構成される。前記結合溝部材２４と結合突起２６は、ネジ結合、フック結合、押し付け結合などの多様な方式で脱着自在に結合可能であり、脱着自在な結合なら、どのような方式であっても関係ない。
【００１５】
さらに、前記携帯器機の後面カバー９０（前記保護ケースとは異なる概念であって、携帯器機自体の外部カバーであり、バッテリーカバーとも称する。）の一側を貫通させ、所定の形状の開口部が形成されるようにする貫通部材１０をさらに含むことができる。このような貫通部材１０は、円形の加圧板１２と、前記加圧板１２の周りに沿って形成された刃１４からなることができる。これによって、前記カバー９０に貫通させようとする位置に刃１４を位置させた後、加圧板１２を押したり、ハンマーなどで打って開口部を形成させ、前記結合手段が脱着されるようにする。ここで、前記結合手段は、前記開口部の内側に挿入される結合溝部材２４と、前記結合溝部材２４に脱着自在に結合される結合突起２６で構成される。上記のような貫通部材１０は、保護ケース７０を携帯器機に別途装着することができないか、装着を要しない場合を備えた構成であり、前記結合部材とは別途の構成に具備されるか、携帯が容易であるように前記本体２０に脱着自在に具備されることができる。
【００１６】
前記回転ブラケット４０は、前記本体２０の他側面の中心部に設けられ、周方向に沿って軸回転する。ここで、前記回転ブラケット４０の側面は、一部分が貫通された装着孔４２を有する。このような回転ブラケット４０は、図４Ｃに示すように、前記本体２０上から周方向に３６０度回転するので、前記本体２０に接触された携帯器機１を多様な回転角度で据え置くか、締結固定させることができる。
【００１７】
前記回動環６０は、四角の環状をなしており、前記回転ブラケット４０の装着孔４２に回動自在に装着される。このような回動環６０は、図４Ａ、図４Ｂに示すように、前記回転ブラケット４０上から垂直方向に遠くなるか近くなるように回動するので、前記本体２０に接触された携帯器機１を多様な傾きで据え置くか、締結固定させることができる。
【００１８】
ここで、前記回動環６０の自由端は、少なくとも一部分が何れか一方向に折れて突き出された折れ突出部を有する。このような折れ突出部は、回動環６０を通じて携帯器機１を据え置く際には滑りを防止し、腰ベルトやかばんに締結する際は固定力を強化させる。さらに、前記回動環６０の折れ突出部の端部には、ゴム材質の摩擦部材６２が固定されて滑りを防止する。
【００１９】
前記弾性部材８０は、前記回転ブラケット４０の装着孔４２に設けられ、前記回動環６０の周面の少なくとも一部分を弾性支持する。このような弾性部材８０は、前記装着孔４２内で前記回動環６０を弾性支持することで、前記回動環６０がスリップ（ＳＬＩＰ）されることを防止する。
【００２０】
一方、前記回転ブラケット４０に形成された装着孔４２の断面は、少なくとも四角以上の多角形状をなしており、前記回動環６０の断面は、前記装着孔４２の多角形状と対応するようになり、前記回動環６０が所定の回動角を有する。この実施例では、四角形状をなしており、前記回動環６０が９０度の回動角を有し、回動角は用途に応じて当業者によって適切に選択されることができることは言うまでもない。
【００２１】
前述したように構成されて作用する携帯器機用多機能アクセサリーは、図１及び図２に示すように、必要に応じて簡単な操作を通じて据置台や腰ベルト掛けで活用でき、その他にも多様な活用が可能である。
【００２２】
本発明の他の実施例に係る携帯器機用多機能アクセサリーは、図５〜図６に示すように、一側面には所定の空間の表面に脱着される接着手段３２が設けられた板状の固定本体３０と、前記固定本体３０に回動自在に装着され、前述の実施例で説明した回動環６０の折れ突出部を収容支持する収容溝５２を有する回動ブラケット５０を含む。ここで、前記収容溝５２は、「Ｌ」状の断面を有することが望ましく、このような形状の断面は、前記回動環６０の折れ突出部だけではなく、前記折れ突出部と連結された前記回動環６０の一部分まで収容するようになるので、支持力をさらに向上させることができる。この場合、前記回動環６０は、前記収容溝５２にスライディング挿入される。
【００２３】
上記のような構成の携帯器機用多機能アクセサリーは、携帯器機を据え置く位置が、傾いた表面や車両のダッシュボードのような搖れのある所に使用するのに適合している。
前記固定本体３０と前記回動ブラケット５０は、前述の実施例で説明した本体２０と回転ブラケット４０と同一または極めて類似した構造であるため、詳細な説明は省略する。
【００２４】
これまで説明した本発明によれば、簡単な構成と手軽な操作だけで、据置台、腰ベルト掛け、フィンガーホルダーなどの多様な用途で活用可能である。さらに、傾いた表面や車両のダッシュボードのような搖れのある所でも補助具を用いて携帯器機を安定的に使用することができる。
【００２５】
前述した内容は、後述する発明の請求範囲をさらに容易に理解できるように、本発明の特徴と技術的な長所を多少幅広く詳述した。前述した実施例は、該当技術分野で通常の知識を有する者によって、本発明の技術的思想の範囲で多様な修正及び変更が可能であるだろう。このような多様な修正及び変更も、本発明の技術的思想の範囲内であれば、下記で記述する本発明の請求範囲に属するだろう。
【符号の説明】
【００２６】
１：携帯器機
３：腰ベルト
１０：貫通部材
１２：加圧板
１４：刃
２０：本体
２２：ゴムパッド
２４：結合溝部材
２６：結合突起
３０：固定本体
３２：接着手段
４０：回転ブラケット
４２：装着孔
５０：回動ブラケット
５２：収容溝
６０：回動環
６１：折れ突出部
６２：摩擦部材
７０：保護ケース
８０：弾性部材
９０：カバー
【図１】
2015514365.tif 000003
【図２】
2015514365.tif 000004
【図３ａ】
2015514365.tif 000005
【図３ｂ】
2015514365.tif 000006
【図４（ａ）】
2015514365.tif 000007
【図４（ｂ）】
2015514365.tif 000008
【図４（ｃ）】
2015514365.tif 000009
【図５】
2015514365.tif 000010
【図６】
2015514365.tif 000011
【国際調査報告】
2015514365.tif 000012
2015514365.tif 000013
2015514365.tif 000014
2015514365.tif 000015